(57)【特許請求の範囲】
【請求項１】
プリント基板等板状の物品を収納するマガジンラックを包むための袋体で、
天面の四辺に正面と、側面と、もうひとつの側面、背面とがそれぞれ一続きで、かつ底面が無い状態の正六面体または直方体に形成され、
該袋体の正面と各側面が接する境と、背面と各側面が接する境の縁にそれぞれチャックや線ファスナー、面ファスナーから選ばれる開閉手段を備えている
ことを特徴とする袋体。
【請求項２】
上記袋体は、透明もしくは半透明の可撓性のある樹脂シートを正六面体もしくは直方体の袋状に形成し、
該樹脂シートの両面、つまり上記袋体の外側と内側とに導電性を有する一つ以上の層が形成されていることを特徴とした、請求項１に記載の袋体。
【請求項３】
上記袋体は、透明もしくは半透明の可撓性のある樹脂シートを正六面体もしくは直方体の袋状に形成し、
該樹脂シートには防湿効果を有する一つ以上の層が形成されていることを特徴とした、請求項１ないし２のいずれか一項に記載の袋体。
【請求項４】
上記袋体は、正六面体もしくは直方体の任意の面にポケットを形成してあることを特徴とした、請求項１ないし請求項３のいずれか一項に記載の袋体。
【請求項５】
上記袋体は、正六面体もしくは直方体の任意の面に持ち手を形成してあることを特徴とした、請求項１ないし請求項４のいずれか一項に記載の袋体。
【発明の詳細な説明】
【技術分野】
【０００１】  本発明は、プリント基板等の板状の物を収納する枠体（マガジンラック）を包むための袋体に関する。
【背景技術】
【０００２】  実装工場において、プリント基板等の板状の物を一度に多数運ぶためには、基板を収納用の枠体、例えばマガジンラック等に収納してまとめて運んでいる。そして、例えば工場の非稼動日にはプリント基板をマガジンラックに収納したまま保管することがしばしばある。
【発明の開示】
【発明が解決しようとする課題】
【０００３】  しかしながら、プリント基板を収納したマガジンラックをそのままにして長時間経過すると、プリント基板に空気中の埃が付着してしまう。埃によってプリント基板上の回路に問題が起きるため、この埃の付着を問題視される例が多くあった。また、マガジンラックに収納したプリント基板に空気中の湿気が付着し、この湿気が該基板の半田工程で爆発を誘引する等の悪影響を及ぼすことも、まれにではあるが発生している。【０００４】  本発明は、上記問題を解決するため提案されたものであり、マガジンラックに収納したプリント基板等の物品に埃や湿気を付けないための安価で簡便な手段を提供することを目的とする。
【課題を解決するための手段】
【０００５】
本発明は、上記の問題を解決するために提案されたものであり、請求項１に記載の袋体は、プリント基板等板状の物品を収納する枠体を包むためのもので、天面の四辺に正面と、側面ともうひとつの側面、背面とがそれぞれ一続きに形成され、かつ底面が無い状態の正六面体または直方体に形成されており、該袋体の正面と各側面が接する境にそれぞれ開閉手段を備え、なおかつ該袋体の背面と各側面が接する境にもそれぞれ開閉手段を備えており、該開閉手段はいわゆるチャック、線ファスナー、もしくは面ファスナー等を使用していることを特徴としている。
【０００６】  請求項２に記載の袋体は、透明もしくは半透明の可撓性のある樹脂シートを正六面体もしくは直方体の袋状に形成されており、該樹脂シートの両面、つまり上記袋体の外側と内側に導電性を有する一つ以上の層が形成されていることを特徴としている、請求項１に記載の袋体である。【０００７】  請求項３に記載の袋体は、透明もしくは半透明の可撓性のある樹脂シートを正六面体もしくは直方体の袋状に形成されており、該樹脂シートには防湿性を有する一つ以上の層が形成されていることを特徴としている、請求項１ないし２のいずれかに記載の袋体である。【０００８】  請求項４に記載の袋体は、該袋体の正六面体もしくは直方体の任意の面にポケットを形成してあることを特徴とした、請求項１ないし請求項３のいずれかに記載の袋体である。【０００９】  請求項５に記載の袋体は、該袋体の正六面体もしくは直方体の任意の面に持ち手を形成してあることを特徴とした、請求項１ないし請求項４のいずれかに記載の袋体である。
【発明の効果】
【００１０】  本発明は、請求項１に記載したように、プリント基板等の板状の物品を収納する枠体（いわゆるマガジンラック等）を包むためのもので、正六面体または直方体の袋体形状に形成されており、該袋体は六面のうちいずれか一つ以上の面もしくは辺縁にチャック、線ファスナー、面ファスナー等の開閉手段を備えている。よって、線（または面）ファスナーを開けて簡易的に袋体の一部を開けて物品を袋体内部に収納し、線ファスナーを閉めることにより、該袋体の内部を略密閉状態にできる。以上により、袋体内部に収納した物品と外部環境とを隔離するので、袋体内部に収納した物品への埃や湿気の付着を防ぐことができる。【００１１】
本発明の袋体は、請求項１に記載したように、天面の四辺に正面と、側面ともうひとつの側面、背面とがそれぞれ一続きに形成され、かつ底面が無い状態の正六面体または直方体に形成され、該袋体の正面と各側面が接する境にそれぞれチャックや線ファスナー、面ファスナー等の開閉手段を備えており、同様に該袋体の背面と各側面が接する境にもそれぞれ開閉手段を備えているので、袋体の正面側、背面側のどちらからでも袋体を開けることが可能になっており、追加のプリント基板を収納する際にも効率がよく便利である。
また、袋体をマガジンラックにかぶせてカバーした後、ファスナーをすべて開き、袋体１の正面と背面をめくり上げて天面の上に乗せた状態にする。こうすると、袋体の正面側・背面側のどちらからでも基板を抜き差しできるので、袋体をマガジンラックにかぶせた状態のままで、プリント基板を自動挿入する（または抜き去る）機械に載せて使用することができ、いちいち袋体をマガジンラックから外さなくて良いので便利である。
【００１２】
本発明の袋体は、請求項２に記載したように、透明もしくは半透明の可撓性のある樹脂シートを正六面体もしくは直方体の袋状に形成しているので、袋体内部に収納した物品を外部から目視で確認でき、また使用していないときは袋体を小さく折り畳んでおけるので、小さなスペースに袋体を収納することが可能であり、邪魔にならないという利点がある。
また、本発明の袋体は、請求項２に記載したように、該樹脂シートを正六面体もしくは直方体の袋状に形成しており、該樹脂シートの両面、つまり上記袋体の外側と内側に導電性を有する一つ以上の層が形成されていることを特徴としているので、袋体内部に収納した物品が該袋体に触れた場合、収納した物品からの静電気を、袋体の導電性を有する層を伝って逃がすことができるため、収納物品に帯電してしまうことを防止できる。同様に、袋体の外側にも導電性を有する層が形成されているため、不用意に何かが物品を収納した袋体に触れてしまった場合にも、導電性の層を伝って静電気を逃がすことが可能なため、収納物品に静電気による影響を与えないという効果が得られる。
【００１３】  本発明の袋体は、請求項３に記載したように、もしくは半透明の可撓性のある樹脂シートを正六面体または直方体の袋状に形成されており、該樹脂シートの内側に防湿性を有する一つ以上の層が形成されていることを特徴としているので、袋体を密閉した際に、袋体内部の湿度を外部環境に比べて少なくすることが可能である。これにより、袋体に収納した物品への湿気の付着を低減させることができる。【００１４】  本発明の袋体は、請求項４に記載したように、袋体の六面体もしくは直方体の任意の面にポケットを形成してあるので、該ポケットに伝票や指示書等を入れておくことが可能である。よって、袋体の内部に収納した物品を、いちいち袋体を開けずとも素早く確認できる。【００１５】  さらに、本発明の袋体の内側に該ポケットを形成した場合、該ポケット内にシリカゲル等の除湿剤を入れておくことが可能である。よって、袋体の内部の環境を外部環境に比べ低い湿度にて保つことが可能である。これにより、袋体外部の環境の湿度が上がった際にも、袋体内部は湿度が低いままに保ち、袋体内部に収納した物品への湿気の付着を低減できるので、例えば袋体内部に収納した物品がプリント基板だった場合、該基板に湿気が付着し、後の工程で爆発等が起こる可能性を低減することができる。【００１６】  本発明の袋体は、請求項５に記載したように、袋体の六面体もしくは直方体の任意の面に持ち手を形成してあるので、持ち運びの際に手から滑ったりせず、持ちやすく楽であり、袋体内に収納した物品を不用意に袋体の外側から触って、微細な部分を壊してしまうこともなく安全である。
【発明を実施するための最良の形態】
【００１７】  以下、本発明を実施するための最良の形態について、図面に基づいて説明する。
図１は、本発明にかかる袋体１の実施形態を表す斜視図である。図１に示すように、袋体１は透明もしくは半透明の樹脂シート１２にて、正六面体もしくは直方体に形成されている。樹脂シート１２に使用されるベース樹脂は特に限定されるものではなく、例えばナイロン、ポリアミド、ＥＶＡ、塩化ビニル樹脂、ポリエステル樹脂、ポリオレフィン系樹脂等の素材を挙げることができ、これらの素材を単独で使用してもよいし、２種以上を組み合わせてもよい。また透明もしくは半透明の樹脂シート１２は、単層であっても、複数の層からなるものであってもよい。
袋体１表面の、任意の位置（図１では天面４上と正面６上）には外ポケット９が形成されている。また、袋体１内側の面の、任意の位置（図１では側面８上）には内ポケット１０が形成されている。【００１８】  また、図１に示す上記袋体１には正面６、側面８、背面７上の周囲をぐるりと囲んで線ファスナー２が配設されており、該線ファスナー２を開けると、天面４部分が開口し、これにより図３の斜視図に示すように開口部１３が開いた状態となる。線ファスナー２の配設箇所はこの限りではなく、例えば直方体状である袋体１の辺縁部（各面と面が接する端部）に配設しても構わない。要するに袋体１の開閉と、袋体１の中に収納する物品の出し入れがしやすい箇所に設けるのが良い。【００１９】  図２は本発明にかかる袋体１の、第二の実施形態を示す斜視図である。図２に示すように、袋体１には側面８、天面４、もう一方の側面８上の周囲をぐるりと囲んで線ファスナー２が配設されており、該線ファスナー２を開けると、図４に示すように正面６部分が開口し、これにより開口部１３が開いた状態となる。線ファスナー２の配設箇所はこの限りではなく、例えば直方体状である袋体１の辺縁部（各面と面が接する端部）に配設してもよいし、図５に示したように袋体１の天面４から正面６（または背面７）をとおって底面５まで、というように配設してもよい。袋体１の開閉と、袋体１の中に収納する物品の出し入れがしやすい箇所に設けるのが良い。【００２０】  上記袋体１に収納したい物品（たとえば、プリント基板を収納したマガジンラック１１など）を入れ、線ファスナー２を閉じて開口部１３を閉じると、該袋体１の内部を密閉状態にでき、袋体１内部に収納した物品１１と外部環境とを分離するので、袋体１内部に収納した物品１１への、外部環境中の埃や湿気の付着を防ぐことが可能である。【００２１】  図１ないし５に示すように、本発明の袋体１は、透明もしくは半透明の可撓性のある樹脂シート１２を正六面体もしくは直方体の袋状に形成している。【００２２】  上記の袋体１の、上記樹脂シートとしては、樹脂シートを構成する樹脂に予め、界面活性剤、導電性高分子やカーボン等の導電性材料を添加して、導電性樹脂シートとしてもよい。また、上記樹脂シートの両面、つまり上記袋体の外側と内側には導電性を有する塗料で塗膜を形成したり、導電性樹脂シートを積層してもよい。このように多層構造とすることで、導電性材料を添加することによる樹脂シートの物性低下を生じることなく導電性をもった袋体を得ることが可能となる。塗料で塗膜を形成する場合には、全面に均一な層を設けてもよいし、網目状等の模様層として設けてもよい。模様状に塗膜を設けることで、カーボン塗料等の透明性に劣る導電性材料を使用しても、袋体としての透明性を確保することができる。【００２３】  上記の袋体１の、上記樹脂シートとしては、該樹脂シートを構成する樹脂に防湿性を有するナイロン、塩化ビニリデン、オレフィン系樹脂等を使用してもよい。また、接着性や帯電防止性等を考慮すると、多層構造として、例えば中層に防湿性樹脂を使用し、両面に接着性等の加工性に優れた樹脂を使用してもよい。【００２４】  上記の袋体１の任意の面には持ち手１６を形成してあ���ので、持ち運びの際に手から滑ったりせず、袋体１が大きい場合にも持ちやすく楽であり、袋体１内に収納した（プリント基板等の）物品１１を不用意に袋体１の外側から触って、微細な部分を壊してしまうこともなく安全である。【００２５】  また、上記持ち手１６あるいは袋体１の四隅等任意の位置にはスナップ１７等の係止手段を設けておき、複数の袋体同士を連結可能に形成すると、例えば袋体１を複数個連結してひとかたまりのユニットにして、持ち運びの際に複数個の袋体ユニットを一度に運ぶ事が可能になる上、袋体１に物品１１を収納したまま積み上げる場合に、袋体１の上に積んだ袋体１がずれて滑り落ちるのを防ぐので便利である。【００２６】  上記の袋体１は、該袋体１の、一つ以上の辺縁に支柱１５を配設することも可能である。  これにより、袋体１を支柱１５が支えるため、収納する物品１１を袋体１から出し入れする際に、袋体１がつぶれてしまうことがなく、手で袋体１を支えずとも済むので、物品の出し入れが簡便である。【００２７】  図６〜図８は本発明にかかる袋体１の、第四の実施形態を示す斜視図である。この第４実施例では、袋体１は図６に示すように、天面４の四辺に正面６と、側面８ともうひとつの側面８、背面７とがそれぞれ一続きに形成され、底面５は無い形状である。そして、この袋体１には、正面６と各側面８が接する境と、背面７と各側面８が接する境の縁とにそれぞれ、チャックや線ファスナー、面ファスナー等の開閉手段（以下、「ファスナー２」と呼ぶ）を備えている。各ファスナー２をしめると、袋体１は、マチのある紙袋を逆さまにしたような形になり、使用するときは、この袋体１を、収納したい物品の上からかぶせて、カバーとして使う。ファスナー２の配設箇所はこの限りではなく、袋体１の開閉と、袋体１の中に収納する物品１１の出し入れがしやすい箇所に設けるのが良い。【００２８】  上記の袋体１を、収納したい物品１１の上からかぶせて、カバーとして使った場合、袋体１の内部をある程度、外気から遮断することができる。何もカバーしなかった場合と比較して、袋体内部に収納した物品１１への埃や湿気の付着をより少なくできる。【００２９】  本発明にかかる袋体１は、マガジンラック等にプリント基板や液晶などを収納したものを包んで、空気中の埃からカバーするために使用する。この袋体１を使用している工場などでは、例えば、プリント基板等の収納が済んだマガジンラック１１を本発明の袋体１で包んでカバーした後に、さらにプリント基板を１枚追加収納したい、ということがたびたびある。このとき、袋体１の開口部、つまりファスナーがある側（図２や図４で言えば正面６）が作業者の側を向いていれば、袋体１の開閉作業は楽だが、作業者とは反対側に開口部が向いている場合は、いちいちマガジンラック１１入りの袋体１の向きを変えねばならない。プリント基板を収納したマガジンラック１１というのは結構重いので、作業者が非力だったり腰痛持ちだったりするとかなりの負担となる。袋体とその中身が重すぎて向きを変えられない場合は、ベルトコンベアや作業台の反対側まで作業者が移動せねばならず、効率が悪い。【００３０】  図６〜図８に示した、本発明の第四実施例では、袋体１には、��面６と各側面８が接する境と、背面７と各側面８が接する境の縁とにそれぞれ、ファスナー２の開閉手段を備えているので、袋体の正面６側、背面７側のどちらからでも袋体１を開けることが可能になっており、追加のプリント基板を収納する際にも効率がよく便利である。【００３１】  図６〜図８に示した、本発明の第四実施例では、袋体１には、正面６と各側面８が接する境と、背面７と各側面８が接する境の縁とにそれぞれ、ファスナー２の開閉手段を備えている。この実施例で、袋体１をマガジンラック１１にかぶせてカバーした後、ファスナー２をすべて開き、袋体１の正面６と、背面７を天面４の上に乗せた状態にする。こうすると、袋体１の正面側・背面側のどちらからでも基板を抜き差しできるので、袋体１をマガジンラック１１にかぶせた状態のままで、プリント基板を自動挿入する（または抜き去る）機械に載せて使用することができ、いちいち袋体１をマガジンラック１１から外さなくてよいので便利である。【００３２】  上記の第一〜第四実施例に示した「ファスナー２」には、手指でつまむためのスライダー３を付設し開閉を便利にしても良い。
【図面の簡単な説明】
【００３３】
【図１】本発明の袋体１の第一実施例を示す斜視図である。
【図２】本発明の袋体１の第二実施例を示す斜視図である。
【図３】図１に示す袋体１（第一実施例）の線ファスナー２を開いた状態を示す斜視図である。
【図４】図２に示す袋体１（第二実施例）の線ファスナー２を開いた状態を示す斜視図である。
【図５】本発明の袋体１の第三実施例を示す斜視図である。
【図６】本発明の袋体１の第四実施例を示す斜視図である。
【図７】本発明の袋体１（第四実施例）を示す斜視図であり、ファスナー２を２箇所開いた状態を示す。
【図８】本発明の袋体１（第四実施例）を示す斜視図であり、ファスナー２を４箇所開いた状態を示す。
【符号の説明】
【００３４】１  袋体、
２  ファスナー
３  ファスナー２のスライダー
４  天面
５  底面
６  正面
７  背面
８  側面
９  外ポケット
１０  内ポケット
１１  マガジンラック
１２  樹脂シート
１３  開口部
１４  導電層
１５  防湿層
１６  持ち手
【図１】
0005405136.tif 000002
【図２】
0005405136.tif 000003
【図３】
0005405136.tif 000004
【図４】
0005405136.tif 000005
【図５】
0005405136.tif 000006
【図６】
0005405136.tif 000007
【図７】
0005405136.tif 000008
【図８】
0005405136.tif 000009